(57)【要約】      （修正有）【課題】充放電制御装置に簡単に接続して蓄電容量を増加させ、充放電制御装置のバッテリの充電完了後に充放電制御装置の充電器を利用して、簡単な回路で電力を無駄なく蓄電して有効利用でき、複雑な制御が不要で長時間安定的に電力供給でき、節電や環境保護に貢献し、取扱い性、電力供給の確実性に優れた補助蓄電装置を提供する。【解決手段】補助バッテリ３とその接続先を切替える補助バッテリ接続切替部４を有する補助蓄電部２と、補助バッテリ充電タイマー５がオンの時に充電器１４と補助バッテリを接続し補助バッテリ充電タイマーがオフの時にバッテリと補助バッテリを接続する補助バッテリ接続切替部４と、充電タイマーがオンの時にバッテリと補助蓄電部を切断し充電タイマーがオフの時にバッテリと補助蓄電部を接続する補助蓄電部接続切替部８と、を備える。【選択図】図１
0003183182.tif 000002
【実用新案登録請求の範囲】
【請求項１】
太陽光発電部で発電される電力又は商用電力によるバッテリへの充電と、前記バッテリから負荷への放電と、を充電タイマー及び放電タイマーのオン、オフによって切替える充放電制御装置に接続される補助蓄電装置であって、
補助バッテリとその接続先を切替える補助バッテリ接続切替部とを有する補助蓄電部と、前記補助蓄電部の前記補助バッテリへの充電の有無を切替える補助バッテリ充電タイマーと、前記補助バッテリ充電タイマーがオンの時に前記充放電制御装置の前記充電器を前記補助蓄電部の前記補助バッテリ接続切替部を経由して前記補助バッテリに接続する補助バッテリ充電経路と、前記補助バッテリ充電タイマーがオフの時に前記充放電制御装置の前記バッテリを前記補助蓄電部の前記補助バッテリ接続切替部を経由して前記補助蓄電部の前記補助バッテリに接続する補助バッテリ接続経路と、前記補助バッテリ接続経路上の前記充放電制御装置の前記バッテリと前記補助蓄電部の前記補助バッテリ接続切替部との間に配設され前記充放電制御装置の前記充電タイマーがオンの時に前記充放電制御装置の前記バッテリと前記補助蓄電部との間を切断し前記充放電制御装置の前記充電タイマーがオフの時に前記充放電制御装置の前記バッテリと前記補助蓄電部との間を接続する補助蓄電部接続切替部と、を備えたことを特徴とする補助蓄電装置。
【請求項２】
前記補助バッテリ充電経路上の前記充放電制御装置の前記充電器と前記補助バッテリ接続切替部との間に配設され前記補助バッテリ充電タイマーがオフの時に前記充放電制御装置の前記充電器と前記バッテリとの間を接続し前記補助バッテリ充電タイマーがオンの時に前記充放電制御装置の前記充電器と前記補助バッテリ接続切替部との間を接続する充電接続切替部を備えたことを特徴とする請求項１に記載の補助蓄電装置。
【請求項３】
前記充電タイマー及び前記補助バッテリ充電タイマーがオフになり前記補助蓄電部の前記補助バッテリへの充電が完了した時に、前記補助バッテリ接続経路により前記充放電制御装置の前記バッテリを前記補助蓄電部接続切替部及び前記補助蓄電部の前記補助バッテリ接続切替部を経由して前記補助バッテリに接続し、前記充放電制御装置の前記放電タイマーがオンになるまで待機状態となることを特徴とする請求項１又は２に記載の補助蓄電装置。
【請求項４】
前記補助蓄電部に、前記補助バッテリと前記補助バッテリ接続切替部が、複数組並列に接続されたことを特徴とする請求項１乃至３の内いずれか１項に記載の補助蓄電装置。
【考案の詳細な説明】
【技術分野】
【０００１】
本考案は、太陽光発電部で発電される電力又は商用電力を蓄電して利用する充放電制御装置に接続することにより、蓄電量を増加させ、電力供給時間を延ばすことができる補助蓄電装置に関するものである。
【背景技術】
【０００２】
石油などの化石燃料の枯渇やその使用に伴う大気中の炭酸ガスの増加による地球の温暖化への対策として、太陽エネルギーの利用の促進が図られている。
そして、一般家庭の屋根に設置された太陽電池によって発電を行い、インバータを介して家庭内の電気機器に電力を供給する太陽光発電システムの実用化が進んでいる。
しかし、一般的な太陽光発電システムの使用方法は、日中に太陽電池で発電した電力を使用しながら、電力が余った時には売電し、電力が不足した時には商用電源を使用するものであり、曇りや雨の日及び夜間の電力は商用電源に頼ったものであって、電力の供給安定性に欠けるという問題点を有していた。また、太陽光発電システムの設置費用を償却するのに長期間を要するため、普及し難いという問題点を有していた。
本願考案者が出願した（特許文献１）には、太陽光発電部で発電される電力又は商用電力のいずれか一方が選択されて供給される充電用コンセントに挿抜自在に接続されるプラグと、プラグを通して供給される交流電力を直流電力に変換するコンバータと、コンバータで変換された直流電力を充電するバッテリと、バッテリに充電された電力を交流電力に変換して出力するインバータと、太陽光発電部で発電される電力又は商用電力によるバッテリへの充電及び太陽光発電部で発電される電力、商用電力、バッテリに充電された電力のいずれかによる負荷への電力供給を制御する制御部と、を有する充放電制御装置が開示されている。
【先行技術文献】
【特許文献】
【０００３】
【特許文献１】実用新案登録第３１７４６８４号公報
【考案の概要】
【考案が解決しようとする課題】
【０００４】
しかしながら、上記従来の技術においては、以下のような課題を有していた。
（１）（特許文献１）の充放電制御装置は、太陽光発電によって発電される電力や商用電力を家庭内のコンセントなどを通して簡単に蓄電でき、必要に応じて家庭内の照明や電気製品などの各種負荷に電力の供給を行って電気料金を節約することができると共に、停電や商用電源の電力供給不足にも対応して電力の自給自足を推進することができる汎用性、電力供給の確実性、省エネルギー性に優れるものであったが、バッテリの容量には限りがあり、バッテリへの充電完了後は、太陽光発電による発電や深夜電力の供給が行われていても、それらを蓄電することはできず、電力の有効利用性に欠けるという課題を有していた。
（２）また、充放電制御装置のバッテリ容量を増やした場合、装置本体が大型化し、運搬や設置工事が大掛かりになるだけでなく、製作コストがかかり、初期投資額も増大し、設備導入し難くなるという課題を有していた。
（３）そこで、必要に応じて既存の充放電制御装置に接続し、その充電器などを有効利用することにより、構造を簡素化することができ、容易に蓄電容量を増加させ、太陽光発電によって発電される電力や深夜電力を無駄なく蓄電して有効利用することができ、長時間にわたって安定的に電力供給することができる補助蓄電装置の実現が強く望まれていた。
【０００５】
本考案は上記要望に応えるもので、既存の充放電制御装置に簡単に接続して蓄電容量を増加させることができ、充放電制御装置のバッテリへの充電完了後に充放電制御装置に内蔵された充電器を利用して、簡単な回路で太陽光発電によって発電される電力や深夜電力を無駄なく蓄電して有効利用することができ、複雑な制御が不要で、長時間にわたって安定的に電力供給することができ、節電や環境保護に貢献して、太陽光発電の有効利用性、電力供給の安定性を高め、停電や商用電源の電力供給不足にも対応して電力の自給自足を推進することができる汎用性、取扱い性、電力供給の確実性に優れた補助蓄電装置の提供を目的とする。
【課題を解決するための手段及びそれによって得られる作用、効果】
【０００６】
上記従来の課題を解決するために本考案の補助蓄電装置は、以下の構成を有している。
本考案の請求項１に記載の補助蓄電装置は、太陽光発電部で発電される電力又は商用電力によるバッテリへの充電と、前記バッテリから負荷への放電と、を充電タイマー及び放電タイマーのオン、オフによって切替える充放電制御装置に接続される補助蓄電装置であって、補助バッテリとその接続先を切替える補助バッテリ接続切替部とを有する補助蓄電部と、前記補助蓄電部の前記補助バッテリへの充電の有無を切替える補助バッテリ充電タイマーと、前記補助バッテリ充電タイマーがオンの時に前記充放電制御装置の前記充電器を前記補助蓄電部の前記補助バッテリ接続切替部を経由して前記補助バッテリに接続する補助バッテリ充電経路と、前記補助バッテリ充電タイマーがオフの時に前記充放電制御装置の前記バッテリを前記補助蓄電部の前記補助バッテリ接続切替部を経由して前記補助蓄電部の前記補助バッテリに接続する補助バッテリ接続経路と、前記補助バッテリ接続経路上の前記充放電制御装置の前記バッテリと前記補助蓄電部の前記補助バッテリ接続切替部との間に配設され前記充放電制御装置の前記充電タイマーがオンの時に前記充放電制御装置の前記バッテリと前記補助蓄電部との間を切断し前記充放電制御装置の前記充電タイマーがオフの時に前記充放電制御装置の前記バッテリと前記補助蓄電部との間を接続する補助蓄電部接続切替部と、を備えた構成を有している。
この構成により、以下のような作用、効果を有する。
（１）補助バッテリとその接続先を切替える補助バッテリ接続切替部とを有する補助蓄電部と、補助蓄電部の補助バッテリへの充電の有無を切替える補助バッテリ充電タイマーと、補助バッテリ充電タイマーがオンの時に充放電制御装置の充電器を補助蓄電部の補助バッテリ接続切替部を経由して補助バッテリに接続する補助バッテリ充電経路と、補助バッテリ充電タイマーがオフの時に充放電制御装置のバッテリを補助蓄電部の補助バッテリ接続切替部を経由して補助蓄電部の補助バッテリに接続する補助バッテリ接続経路を備えているので、補助バッテリ充電タイマーのオン、オフだけで補助バッテリ接続切替部により補助バッテリ充電経路又は補助バッテリ接続経路のいずれかを選択して、補助バッテリの接続先を容易に切替えることができ、制御の容易性に優れる。
（２）補助バッテリ充電タイマーがオンの時に充放電制御装置の充電器を補助蓄電部の補助バッテリ接続切替部を経由して補助バッテリに接続する補助バッテリ充電経路を有するので、充放電制御装置のバッテリへの充電が完了した後に、充放電制御装置の充電器を有効利用して簡素な構成で補助バッテリへの充電を行うことができ、太陽光発電部で発電される電力や商用電力の有効利用性、量産性に優れる。
（３）補助バッテリ充電タイマーがオフの時に充放電制御装置のバッテリを補助蓄電部の補助バッテリ接続切替部を経由して補助蓄電部の補助バッテリに接続する補助バッテリ接続経路を有するので、補助バッテリへの充電が完了した後に、補助バッテリ接続切替部により補助バッテリの接続先を充放電制御装置のバッテリ側に切替えて、充放電制御装置のバッテリと補助蓄電部の補助バッテリを接続した状態で、放電（電力供給）に備えることができ、補助バッテリの接続切替の確実性に優れる。
（４）補助バッテリ接続経路上の充放電制御装置のバッテリと補助蓄電部の補助バッテリ接続切替部との間に配設され充放電制御装置の充電タイマーがオンの時に充放電制御装置のバッテリと補助蓄電部との間を切断し充放電制御装置の充電タイマーがオフの時に充放電制御装置のバッテリと補助蓄電部との間を接続する補助蓄電部接続切替部を有するので、充放電制御装置の充電タイマーがオンになって充放電制御装置のバッテリに充電している間は、充放電制御装置のバッテリと補助蓄電部を切り離して充放電制御装置のバッテリのみを充電し、充放電制御装置のバッテリ及び補助蓄電部の補助バッテリへの充電が完了して充放電制御装置の充電タイマーがオフになった時に、充電が完了した充放電制御装置のバッテリと補助蓄電部の補助バッテリを接続して放電（電力供給）に備えることができ、長時間にわたって安定的に電力供給することが可能で、電力供給の安定性、確実性に優れる。
【０００７】
ここで、太陽光発電部はパワーコンディショナ（コントローラ）を有している。このパワーコンディショナは、インバータ、系統連係保護装置、自動運転制御装置などを内蔵しており、太陽電池パネルで発電した直流電力を１００Ｖの交流電力に変換し、系統と連係運転を行う。これにより、家庭にある配電盤（分電盤）を通して家庭内の照明やコンセントに接続された電気製品などの各種負荷に、太陽光発電部で発電した電力や商用電力を選択的に供給することができる。よって、パワーコンディショナは太陽光発電部の発電量が不足する場合には、商用電源から各種負荷に電力を供給するように自動的に切り替えを行う。また、発電された電力の内、消費されなかった余剰電力はパワーコンディショナを通して売電される。
【０００８】
充放電制御装置は配電盤（分電盤）と電気接続され、充電タイマー及び放電タイマーのオン、オフによってバッテリの充放電や負荷への電力供給を制御するものである。充電タイマーや放電タイマーにより、日照時間か否か、深夜電力時間帯か否かを簡便に判定することができ、バッテリの充放電や負荷への電力供給を適切に制御して、安定した電力供給を行うことができる。
充放電制御装置では、太陽光発電部や商用電源から供給される交流の１００Ｖをバッテリに合わせて直流の充電電圧に変換してバッテリに充電する。バッテリの充電電圧は、直流１２Ｖ，２４Ｖ，３６Ｖ，４８Ｖなどがあり、適宜、選択することができるが、充電効率の良い１２Ｖを使用することが好ましい。
バッテリに充電された電力は、家庭内の各種負荷で使用できるようにインバータで再び正弦波交流の１００Ｖに変換され、配電盤（分電盤）を通してコンセントなどから供給される。尚、交流出力の周波数は使用地に合わせて５０Ｈｚ又は６０Ｈｚを選択することができる。
太陽光発電部で発電される電力だけでなく、商用電源からもバッテリへの充電を行うことにより、太陽光発電の発電量が不足した場合や非常時にも確実に電力を供給することができ、電力供給の安定性に優れる。特に、深夜電力を契約すれば、充電不足時に夜間の内に安価な深夜電力で充電を行うことができ、電気代を節約することができる。
【０００９】
以上のような充放電制御装置に補助蓄電装置を接続することにより、充放電制御装置の充電器を利用して補助蓄電装置の補助バッテリに充電を行うことや充放電制御装置のバッテリと共に電力供給を行うことができ、補助蓄電装置の構成を簡素化することができる。
補助蓄電装置の補助バッテリの数や容量は、適宜、選択することができる。
補助バッテリに鉛蓄電池を用いた場合、リチウム電池のように完全放電させてから充電しなくても性能が劣化することがないので、鉛蓄電池の特性を活かして必要な時に充放電を繰り返すことができ、電力の供給が途切れるおそれがなく、性能の安定性、長寿命性、連続使用性に優れる。尚、鉛蓄電池は新品でも使用済みバッテリ（廃鉛蓄電池）の再生品でもよい。特に、再生品（再生鉛蓄電池）を使用することにより、廃鉛蓄電池を有効利用することができ、省資源性、環境保護性に優れる。
補助バッテリ接続切替部や補助蓄電部接続切替部としては、補助バッテリ充電タイマーや充放電制御装置の充電タイマーによってオン、オフを切り替えるタイマーリレーなどが好適に用いられる。
【００１０】
請求項２に記載の考案は、請求項１に記載の補助蓄電装置であって、前記補助バッテリ充電経路上の前記充放電制御装置の前記充電器と前記補助バッテリ接続切替部との間に配設され前記補助バッテリ充電タイマーがオフの時に前記充放電制御装置の前記充電器と前記バッテリとの間を接続し前記補助バッテリ充電タイマーがオンの時に前記充放電制御装置の前記充電器と前記補助バッテリ接続切替部との間を接続する充電接続切替部を備えた構成を有している。
この構成により、請求項１の作用、効果に加え、以下のような作用、効果を有する。
（１）補助バッテリ充電経路上の充放電制御装置の充電器と補助バッテリ接続切替部との間に配設され補助バッテリ充電タイマーがオフの時に充放電制御装置の充電器とバッテリとの間を接続し補助バッテリ充電タイマーがオンの時に充放電制御装置の充電器と補助バッテリ接続切替部との間を接続する充電接続切替部を有することにより、補助バッテリ充電タイマーがオフの時は充放電制御装置の充電器からバッテリのみに充電を行い、補助バッテリ充電タイマーがオンの時は充放電制御装置の充電器から補助バッテリ接続切替部を経由して補助バッテリのみに充電を行うことができ、充電の効率性に優れる。
【００１１】
ここで、充電接続切替部としては、補助バッテリ充電タイマーのオン、オフによって充電器の接続先を切り替えるタイマーリレーなどが好適に用いられる。充電接続切替部により、充放電制御装置のバッテリ又は補助蓄電部の補助バッテリのいずれか一方のみを選択して充電を行うことができるので、補助バッテリ充電タイマーがオンになってバッテリの充電が完了した時に、充電が完了したバッテリと未充電の補助バッテリが接続されることがなく、補助バッテリを効率的に充電できる。
【００１２】
請求項３に記載の考案は、請求項１又は２に記載の補助蓄電装置であって、前記充電タイマー及び前記補助バッテリ充電タイマーがオフになり前記補助蓄電部の前記補助バッテリへの充電が完了した時に、前記補助バッテリ接続経路により前記充放電制御装置の前記バッテリを前記補助蓄電部接続切替部及び前記補助蓄電部の前記補助バッテリ接続切替部を経由して前記補助バッテリに接続し、前記充放電制御装置の前記放電タイマーがオンになるまで待機状態となる構成を有している。
この構成により、請求項１又は２の作用、効果に加え、以下のような作用、効果を有する。
（１）充電タイマー及び補助バッテリ充電タイマーがオフになり補助蓄電部の補助バッテリへの充電が完了した時に、補助バッテリ接続経路により充放電制御装置のバッテリを補助蓄電部接続切替部及び補助蓄電部の補助バッテリ接続切替部を経由して補助バッテリに接続し、充放電制御装置の放電タイマーがオンになるまで待機状態となるので、放電タイマーがオンになった時には、充放電制御装置のバッテリと補助蓄電部の補助バッテリにより大容量で長時間連続して安定的に電力供給を行うことができ、日中の商用電力の消費量を低減できると共に、商用電力の供給不足が発生しても確実に電力を供給することができ、節電性、電力供給の安定性に優れる。
【００１３】
請求項４に記載の考案は、請求項１乃至３の内いずれか１項に記載の補助蓄電装置であって、前記補助蓄電部に、前記補助バッテリと前記補助バッテリ接続切替部が、複数組並列に接続された構成を有している。
この構成により、請求項１乃至３の内いずれか１項の作用、効果に加え、以下のような作用、効果を有する。
（１）補助蓄電部に、補助バッテリと補助バッテリ接続切替部が、複数組並列に接続されることにより、補助蓄電部の容量を増加させることができ、電力供給の安定性に優れる。
（２）補助バッテリと補助バッテリ接続切替部が、複数組並列に接続されるので、各々の補助バッテリの接続先を各々の補助バッテリ接続切替部により、充放電制御装置の充電器側又はバッテリ側に切替えることができ、補助バッテリの充放電の切替えの確実性、安定性に優れる。
【図面の簡単な説明】
【００１４】
【図１】実施の形態１の補助蓄電装置を接続した充放電制御装置のバッテリの充電状態を示す回路動作図
【図２】充放電制御装置に接続した実施の形態１の補助蓄電装置の補助バッテリの充電状態を示す回路動作図
【図３】実施の形態１の補助蓄電装置を接続した充放電制御装置の待機状態を示す回路動作図
【図４】実施の形態１の補助蓄電装置を接続した充放電制御装置の放電状態を示す回路動作図
【考案を実施するための形態】
【００１５】
（実施の形態１）
本考案の実施の形態１における補助蓄電装置について、以下、図面を用いて説明する。なお、本考案は以下に説明する実施の形態に限定されるものではない。
図１は実施の形態１の補助蓄電装置を接続した充放電制御装置のバッテリの充電状態を示す回路動作図である。
図１中、１は太陽光発電部で発電される電力又は商用電力によるバッテリ１１への充電とバッテリ１１から負荷への放電とを充電タイマー１２及び放電タイマー１３のオン、オフによって切替える充放電制御装置１０と接続して使用される実施の形態１の補助蓄電装置、２は補助蓄電装置１の補助蓄電部、３は並列に接続された複数の鉛蓄電池（再生鉛蓄電池）を用いた補助蓄電部２の補助バッテリ、４は各々の補助バッテリ３に接続され補助バッテリ３の接続先を切替えるタイマーリレーを用いた補助蓄電部２の補助バッテリ接続切替部、５は補助蓄電部２の補助バッテリ３への充電の有無を切替える補助蓄電装置１の補助バッテリ充電タイマー、６は補助バッテリ充電タイマー５がオンの時に後述する充放電制御装置１０の充電器１４から補助蓄電部２の補助バッテリ接続切替部４を経由して補助バッテリ３までを接続する補助バッテリ充電経路、７は補助バッテリ充電タイマー５がオフの時に充放電制御装置１０のバッテリ１１から補助蓄電部２の補助バッテリ接続切替部４を経由して補助蓄電部２の補助バッテリ３までを接続する補助バッテリ接続経路、８は補助バッテリ接続経路７上の充放電制御装置１０のバッテリ１１と補助蓄電部２の補助バッテリ接続切替部４との間に配設され充放電制御装置１０の充電タイマー１２がオンの時に充放電制御装置１０のバッテリ１１と補助蓄電部２との間を切断し充放電制御装置１０の充電タイマー１２がオフの時に充放電制御装置１０のバッテリ１１と補助蓄電部２との間を接続するタイマーリレーを用いた補助蓄電装置１の補助蓄電部接続切替部、９は補助バッテリ充電経路６上の充放電制御装置１０の充電器１４と補助バッテリ接続切替部４との間に配設され補助バッテリ充電タイマー５がオフの時に充放電制御装置１０の充電器１４とバッテリ１１との間を接続し補助バッテリ充電タイマー５がオンの時に充放電制御装置１０の充電器１４と補助バッテリ接続切替部４との間を接続するタイマーリレーを用いた補助蓄電装置１の充電接続切替部、１４は太陽光発電部又は商用電源から供給される１００Ｖの交流電力を１２Ｖの直流電力に変換して補助バッテリ３やバッテリ１１に供給する充放電制御装置１０の充電器、１５は充電タイマー１２がオンの時に太陽光発電部や商用電源と充電器１４を接続し充電タイマー１２がオフの時に太陽光発電部や商用電源と充電器１４を切断するタイマーリレーを用いた充放電制御装置１０の充電切替部、１６は放電切替部バッテリ１１に充電された電力を１００Ｖの交流電力に変換して出力する充放電制御装置１０のインバータ、１７は放電タイマー１３がオンの時に充電器１４とインバータ１５を接続し放電タイマー１３がオフの時に充電器１４とインバータ１５を切断するタイマーリレーを用いた充放電制御装置１０の放電切替部である。
【００１６】
補助蓄電装置１には、ランプの点灯や文字表示などにより補助バッテリ３が充電中か放電中かを表示する充放電表示部を備えたものが好適に用いられる。これにより、補助バッテリ３の充放電が正常に行われているかどうかを容易に確認することができる。
補助バッテリ３に使用する鉛蓄電池は新品でも使用済みバッテリ（廃鉛蓄電池）の再生品でもよいが、特に、再生品（再生鉛蓄電池）を使用することにより、廃鉛蓄電池を有効利用することができ、省資源性、環境保護性に優れる。
尚、補助バッテリ３の数は、各家庭の電力消費量などに応じて、適宜、選択することができるが、電力消費量に比べて蓄電容量を大きめに設定し、常に一定量の電力を蓄えるようにしておけば、天候不良や停電、商用電源の電力供給不足などが続いても、安定した電力供給を行うことができ、信頼性に優れる。
複数の補助バッテリ３を使用する場合、補助蓄電装置１には、各々の補助バッテリ３の電圧を検査するバッテリ検査部を備えることが好ましい。複数の補助バッテリ３の中から、性能が低下したものを順次検出して交換することができ、全ての補助バッテリ３を最後まで有効に利用することができ、省資源性に優れるためである。
【００１７】
以上のように構成された実施の形態１の補助蓄電装置を接続した充放電制御装置の動作について説明する。
まず、充放電制御装置のバッテリへの充電について説明する。
図１において、充放電制御装置１０に内蔵された充電タイマー１２がオン、放電タイマー１３がオフで、補助バッテリ充電タイマー５がオフの時、充放電制御装置１０の充電切替部１５により、太陽光発電部や商用電源と充電器１４が接続され、補助蓄電装置１の充電接続切替部９により、充電器１４とバッテリ１１が接続され、充電が行われる。
このとき、補助バッテリ充電タイマー５がオフなので、補助バッテリ接続切替部４により、補助蓄電装置１の補助蓄電部２の各々の補助バッテリ３と充放電制御装置１０のバッテリ１１側を接続する補助バッテリ接続経路７が選択されるが、補助蓄電部接続切替部８により、充放電制御装置１０のバッテリ１１と補助蓄電部２との間が切断されているので、バッテリ１１のみが充電され、補助バッテリ３は充電されない。
【００１８】
次に、補助蓄電装置の補助蓄電部の補助バッテリへの充電について説明する。
図２は充放電制御装置に接続した実施の形態１の補助蓄電装置の補助バッテリの充電状態を示す回路動作図である。
図１における充放電制御装置１０の充電タイマー１２がオン、放電タイマー１３がオフ、補助バッテリ充電タイマー５がオフの状態から、補助バッテリ充電タイマー５がオンになると、図２に示すように、補助蓄電装置１の充電接続切替部９により、充電器１４の接続先が充放電制御装置１０のバッテリ１１側から補助蓄電装置１の補助蓄電部２側に切り替わり、バッテリ１１の充電が完了する。このとき、補助バッテリ接続切替部４により、補助蓄電装置１の補助蓄電部２の各々の補助バッテリ３と充放電制御装置１０の充電器１４側を接続する補助バッテリ充電経路６が選択されるので、補助バッテリ３とバッテリ１１が切断された状態で、補助バッテリ３のみが充電される。
【００１９】
次に、補助蓄電装置及び充放電制御装置の充電完了後の待機状態について説明する。
図３は実施の形態１の補助蓄電装置を接続した充放電制御装置の待機状態を示す回路動作図である。
図２の状態から充電タイマー１２及び補助バッテリ充電タイマー５がオフになると、図３に示すように、充放電制御装置１０の充電切替部１５により、太陽光発電部や商用電源と充電器１４が切断され、補助蓄電装置１の充電接続切替部９により、充電器１４と補助蓄電部２が切断されて補助バッテリ３の充電が完了する。このとき、補助バッテリ接続切替部４により、補助蓄電装置１の補助蓄電部２の各々の補助バッテリ３と充放電制御装置１０のバッテリ１１側を接続する補助バッテリ接続経路７が選択され、補助蓄電部接続切替部８により、充放電制御装置１０のバッテリ１１と補助蓄電部２との間が接続される。
そして、充放電制御装置１０の放電タイマー１３がオンになって、放電切替部１７により、充放電制御装置１０のバッテリ１１及び充放電制御装置１の補助蓄電部２が、充放電制御装置１０のインバータ１６と接続されるまでの間、充放電制御装置１０のバッテリ１１と補助蓄電部２の補助バッテリ３が一体となった状態で待機状態となり、電力供給（放電）に備えることができる。
【００２０】
次に、補助蓄電装置を接続した充放電制御装置からの放電について説明する。
図３における待機状態から、充放電制御装置１０の放電タイマー１３がオンになると、図４に示すように、充放電制御装置１の放電切替部１７により、充放電制御装置１０のバッテリ１１及び充放電制御装置１の補助蓄電部２が、充放電制御装置１０のインバータ１６と接続され、充放電制御装置１０のバッテリ１１と補助蓄電部２の補助バッテリ３が一体となって負荷への電力供給（放電）を行う。
その後、充放電制御装置１０の放電タイマー１３がオフになると電力供給（放電）が完了し、充電タイマー１２がオンになると図１の状態に戻り、充放電制御装置１０のバッテリ１１への充電を開始する。
以降は、図１〜図４の動作を時間経過と共に繰り返す。
【００２１】
本考案の実施の形態１における補助蓄電装置によれば、以下の作用を有する。
（１）補助バッテリとその接続先を切替える補助バッテリ接続切替部とを有する補助蓄電部と、補助蓄電部の補助バッテリへの充電の有無を切替える補助バッテリ充電タイマーと、補助バッテリ充電タイマーがオンの時に充放電制御装置の充電器を補助蓄電部の補助バッテリ接続切替部を経由して補助バッテリに接続する補助バッテリ充電経路と、補助バッテリ充電タイマーがオフの時に充放電制御装置のバッテリを補助蓄電部の補助バッテリ接続切替部を経由して補助蓄電部の補助バッテリに接続する補助バッテリ接続経路を備えているので、補助バッテリ充電タイマーのオン、オフだけで補助バッテリ接続切替部により補助バッテリ充電経路又は補助バッテリ接続経路のいずれかを選択して、補助バッテリの接続先を容易に切替えることができ、制御の容易性に優れる。
（２）補助バッテリ充電タイマーがオンの時に充放電制御装置の充電器を補助蓄電部の補助バッテリ接続切替部を経由して補助バッテリに接続する補助バッテリ充電経路を有するので、充放電制御装置のバッテリへの充電が完了した後に、充放電制御装置の充電器を有効利用して簡素な構成で補助バッテリへの充電を行うことができ、太陽光発電部で発電される電力や商用電力の有効利用性、量産性に優れる。
（３）補助バッテリ充電タイマーがオフの時に充放電制御装置のバッテリを補助蓄電部の補助バッテリ接続切替部を経由して補助蓄電部の補助バッテリに接続する補助バッテリ接続経路を有するので、補助バッテリへの充電が完了した後に、補助バッテリ接続切替部により補助バッテリの接続先を充放電制御装置のバッテリ側に切替えて、充放電制御装置のバッテリと補助蓄電部の補助バッテリを接続した状態で、放電（電力供給）に備えることができ、補助バッテリの接続切替の確実性に優れる。
（４）補助バッテリ接続経路上の充放電制御装置のバッテリと補助蓄電部の補助バッテリ接続切替部との間に配設され充放電制御装置の充電タイマーがオンの時に充放電制御装置のバッテリと補助蓄電部との間を切断し充放電制御装置の充電タイマーがオフの時に充放電制御装置のバッテリと補助蓄電部との間を接続する補助蓄電部接続切替部を有するので、充放電制御装置の充電タイマーがオンになって充放電制御装置のバッテリに充電している間は、充放電制御装置のバッテリと補助蓄電部を切り離して充放電制御装置のバッテリのみを充電し、充放電制御装置のバッテリ及び補助蓄電部の補助バッテリへの充電が完了して充放電制御装置の充電タイマーがオフになった時に、充電が完了した充放電制御装置のバッテリと補助蓄電部の補助バッテリを接続して放電（電力供給）に備えることができ、長時間にわたって安定的に電力供給することが可能で、電力供給の安定性、確実性に優れる。
（５）補助バッテリ充電経路上の充放電制御装置の充電器と補助バッテリ接続切替部との間に配設され補助バッテリ充電タイマーがオフの時に充放電制御装置の充電器とバッテリとの間を接続し補助バッテリ充電タイマーがオンの時に充放電制御装置の充電器と補助バッテリ接続切替部との間を接続する充電接続切替部を有することにより、補助バッテリ充電タイマーがオフの時は充放電制御装置の充電器からバッテリのみに充電を行い、補助バッテリ充電タイマーがオンの時は充放電制御装置の充電器から補助バッテリ接続切替部を経由して補助バッテリのみに充電を行うことができ、充電の効率性に優れる。
（６）充電タイマー及び補助バッテリ充電タイマーがオフになり補助蓄電部の補助バッテリへの充電が完了した時に、補助バッテリ接続経路により充放電制御装置のバッテリを補助蓄電部接続切替部及び補助蓄電部の補助バッテリ接続切替部を経由して補助バッテリに接続し、充放電制御装置の放電タイマーがオンになるまで待機状態となるので、放電タイマーがオンになった時には、充放電制御装置のバッテリと補助蓄電部の補助バッテリにより大容量で長時間連続して安定的に電力供給を行うことができ、日中の商用電力の消費量を低減できると共に、商用電力の供給不足が発生しても確実に電力を供給することができ、節電性、電力供給の安定性に優れる。
（７）補助蓄電部に、補助バッテリと補助バッテリ接続切替部が、複数組並列に接続されることにより、補助蓄電部の容量を増加させることができ、電力供給の安定性に優れる。
（８）補助バッテリと補助バッテリ接続切替部が、複数組並列に接続されるので、各々の補助バッテリの接続先を各々の補助バッテリ接続切替部により、充放電制御装置の充電器側又はバッテリ側に切替えることができ、補助バッテリの充放電の切替えの確実性、安定性に優れる。
【産業上の利用可能性】
【００２２】
本考案は、既存の充放電制御装置に簡単に接続して蓄電容量を増加させることができ、充放電制御装置のバッテリへの充電完了後に充放電制御装置に内蔵された充電器を利用して、簡単な回路で太陽光発電によって発電される電力や深夜電力を無駄なく蓄電して有効利用することができ、複雑な制御が不要で、長時間にわたって安定的に電力供給することができ、節電や環境保護に貢献して、太陽光発電の有効利用性、電力供給の安定性を高め、停電や商用電源の電力供給不足にも対応して電力の自給自足を推進することができる汎用性、取扱い性、電力供給の確実性に優れた補助蓄電装置の提供を行うことができ、既存の太陽光発電システムや充放電制御装置を有効利用することができ、充放電制御装置の普及を促進して電力の自給自足を図ることができ、商用電力の供給不足の解消に役立てることができる。
【符号の説明】
【００２３】
１  補助蓄電装置
２  補助蓄電部
３  補助バッテリ
４  補助バッテリ接続切替部
５  補助バッテリ充電タイマー
６  補助バッテリ充電経路
７  補助バッテリ接続経路
８  補助蓄電部接続切替部
９  充電接続切替部
１０  充放電制御装置
１１  バッテリ
１２  充電タイマー
１３  放電タイマー
１４  充電器
１５  充電切替部
１６  インバータ
１７  放電切替部
【図１】
0003183182.tif 000003
【図２】
0003183182.tif 000004
【図３】
0003183182.tif 000005
【図４】
0003183182.tif 000006